【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  移動体通信装置の第一のユーザーに、移動体通信システム内の他のユーザーのステータスを通知する方法であって、前記方法は、
前記移動体通信装置から前記移動体通信システムのサービスノードへ信号を送信する工程と、
前記サービスノードにおいて、前記信号の受信に応じて、前記第一のユーザーがそのステータスを知りたいところの他のユーザーのリストを決定する工程と、
前記サービスノードにおいて、前記リスト上の前記他のユーザーのそれぞれのステータスを決定する工程と、
前記サービスノードから、前記移動体通信装置へ前記他のユーザーそれぞれの前記ステータスを伝送する工程と
を備えることを特徴とする方法。
【請求項２】  前記移動体通信装置から前記移動体通信システム内の前記サービスノードへ信号を送信する工程が、前記移動体通信装置の電源が入れられたことに反応して実行されることを特徴とする請求項１に記載の方法。
【請求項３】  前記信号が移動体通信装置が電源を入れられたことの指示を含み、かつ、前記サービスノードにおいて、前記第一のユーザーがリストされている他のリストを決定する工程と、
前記他のリストのそれぞれについて、対応する他のユーザーを決定する工程と、
前記対応する他のユーザーのそれぞれに、前記第一のユーザーがオンラインになったことを示す通知を送信する工程と
をさらに備えることを特徴とする請求項２に記載の方法。
【請求項４】  前記サービスノードがホームロケーションレジスタであることを特徴とする請求項１に記載の方法。
【請求項５】  前記ステータスが前記リスト上の他のユーザーのそれぞれがオンライン状態であるかどうかの指示を含むことを特徴とする請求項１に記載の方法。
【請求項６】  前記ステータスが、前記リスト上の他のユーザーのそれぞれがオフライン状態であるかどうかの指示を含むことを特徴とする、請求項１に記載の方法。
【請求項７】  前記ステータスが、前記リスト上の他のユーザーのそれぞれがボイスメールサービスに関連しているかどうかの指示を含むことを特徴とする、請求項１に記載の方法。
【請求項８】  前記ステータスが、前記リスト上の他のユーザーのそれぞれが電子メールサービスに関連しているかどうかの指示を含むことを特徴とする請求項１に記載の方法。
【請求項９】  前記ステータスが、前記リスト上の他のユーザーの位置の指示を含むことを特徴とする請求項１に記載の方法。
【請求項１０】  前記リスト上の他のユーザーのそれぞれにとって、前記ステータスは所定の期間存在しつづけた状況を表すものであり、ここで所定時間とは、少なくとも多数の一時的状況のいずれかがステータスとして報告されることを実質的に妨げるのに十分に長く選択されることを特徴とする請求項１に記載の方法。
【請求項１１】  前記一時的状況の一つが、トンネルを通り抜けることによる一時的なオフライン状態であることを特徴とする、請求項１０に記載の方法。
【請求項１２】  前記一時的状況の一つが、エレベーターに乗っていることによる一時的なオフライン状態であることを特徴とする、請求項１０に記載の方法。
【請求項１３】  前記移動体通信装置において、入力装置を介してリストの内容についての情報を受信する工程と、
前記移動体通信装置から前記サービスノードへ、リストの内容についての前記情報を送信する工程と、
前記サービスノードにおいて、リストの内容についての情報を包含するように前記リストを生成する工程と
により、前記リストを作成する工程をさらに備えることを特徴とする請求項１に記載の方法。
【請求項１４】  移動体通信装置において、入力装置を介してリストの内容についての変更された情報を受信する工程と、
前記移動体通信装置から前記サービスノードへ、リストの内容についての前記更新された情報を送信する工程と、
前記サービスノードにおいて、リストの内容についての前記変更された情報に従って前記リストを変更する工程と
により前記リストを変更する工程をさらに備えることを特徴とする請求項１に記載の方法。
【請求項１５】  リストの内容についての前記変更された情報が、前記リストに追加されるべき別のユーザーについての情報を含むことを特徴とする請求項１４に記載の方法。
【請求項１６】  前記リストに追加されるべき別のユーザーについての変更された情報に従って、前記リストを変更する工程が、
前記サービスノードから、前記リストに追加されるべき別のユーザーが関連する移動体通信装置へメッセージを送信する工程であって、前記メッセージは前記第一のユーザーが前記別のユーザーをリストに追加したがっていることを通知するものであることを特徴とする工程と、
前記別のユーザーが関連する移動体通信装置から前記サービスノードへメッセージを返信する工程であって、返信メッセージは賛成を容認するか、拒否するもののいずれかであることを特徴とする工程と、
前記サービスノードにおいて、前記返信メッセージが賛成を容認する場合にのみ、前記リストに追加されるべき別のユーザーについての変更された情報に従ってリストを変更する工程と
を備えることを特徴とする請求項１５に記載の方法。
【請求項１７】  リストの内容についての前記変更された情報が、前記リストから削除されるべき別のユーザーについての情報を含むことを特徴とする請求項１４に記載の方法。
【請求項１８】  移動体通信システム内の他のユーザーに、移動体通信装置の第一のユーザーがオンラインになったことを通知する方法であって、
前記移動体通信装置から移動体通信システム内のサービスノードへ信号を送信する工程であって、前記信号が前記移動体通信装置がオンラインになったことを示すものである工程と、
前記サービスノードにおいて、前記信号の受信に応じて、前記第一のユーザーがリストされている他のリストを決定する工程と、
前記他のリストのそれぞれについて、対応する他のユーザーを決定する工程と、
前記対応する他のユーザーのそれぞれに対し、前記第一のユーザーがオンラインになったことを示す通知を送信する工程と
を備えることを特徴とする方法。
【請求項１９】  前記サービスノードがホームロケーションレジスタであることを特徴とする請求項１８に記載の方法。
【請求項２０】  移動体通信システム内の他のユーザーに、移動体通信装置の第一のユーザーがオフラインになったことを通知する方法であって、
前記移動体通信装置から移動体通信システム内のサービスノードへ信号を送信する工程であって、前記信号が前記移動体通信装置がオフラインになったことを示すものである工程と、
前記サービスノードにおいて、前記信号の受信に応じて、前記第一のユーザーがリストされている他のリストを決定する工程と、
前記他のリストのそれぞれについて、対応する他のユーザーを決定する工程と、
前記対応する他のユーザーのそれぞれに対し、前記第一のユーザーがオフラインになったことを示す通知を送信する工程と
を備えることを特徴とする方法。
【請求項２１】  前記サービスノードがホームロケーションレジスタであることを特徴とする請求項２０に記載の方法。
【請求項２２】  移動体通信装置の第一のユーザーに、移動体通信システム内の他のユーザーの状態を通知するシステムであって、
前記移動体通信装置から前記移動体通信システムのサービスノードへ信号を送信する手段と、
前記サービスノードにおいて、前記信号の受信に応じて、前記第一のユーザーがそのステータスを知りたいところの他のユーザーのリストを決定する手段と、
前記サービスノードにおいて、前記リスト上の前記他のユーザーのそれぞれのステータスを決定する手段と、
前記サービスノードから、前記移動体通信装置へ前記他のユーザーそれぞれの前記ステータスを伝送する手段と
を備えることを特徴とするシステム。
【請求項２３】  前記移動体通信装置から前記移動体通信システム内の前記サービスノードへ信号を送信する手段が、前記移動体通信装置の電源が入れられたことに反応して作動することを特徴とする請求項２２に記載のシステム。
【請求項２４】  前記信号が移動体通信装置が電源を入れられたことの指示を含み、かつ、前記サービスノードにおいて、前記第一のユーザーがリストされている他のリストを決定する手段と、
前記他のリストのそれぞれについて、対応する他のユーザーを決定する手段と、
前記対応する他のユーザーのそれぞれに、前記第一のユーザーがオンラインになったことを示す通知を送信する手段と
をさらに備えることを特徴とする請求項２３に記載のシステム。
【請求項２５】  前記サービスノードがホームロケーションレジスタであることを特徴とする請求項２２に記載のシステム。
【請求項２６】  前記ステータスが前記リスト上の他のユーザーのそれぞれがオンライン状態であるかどうかの指示を含むことを特徴とする請求項２２に記載のシステム。
【請求項２７】  前記ステータスが、前記リスト上の他のユーザーのそれぞれがオフライン状態であるかどうかの指示を含むことを特徴とする、請求項２２に記載のシステム。
【請求項２８】  前記ステータスが、前記リスト上の他のユーザーのそれぞれがボイスメールサービスに関連しているかどうかの指示を含むことを特徴とする、請求項２２に記載のシステム。
【請求項２９】  前記ステータスが、前記リスト上の他のユーザーのそれぞれが電子メールサービスに関連しているかどうかの指示を含むことを特徴とする請求項２２に記載のシステム。
【請求項３０】  前記ステータスが、前記リスト上の他のユーザーの位置の指示を含むことを特徴とする請求項２２に記載のシステム。
【請求項３１】  ユーザーのステータスが、ユーザーの新しい状況に更新されることを、前記新しい状況が所定期間存在しつづけるまでは妨げる手段を前記サービスノードが更に備え、前記所定時間が、少なくとも多数の一時的状況のいずれかがステータスとして報告されることを実質的に妨げるのに十分に長く選択されることを特徴とする請求項２２に記載のシステム。
【請求項３２】  前記一時的状況の一つが、トンネルを通り抜けることによる一時的なオフライン状態であることを特徴とする、請求項３１に記載のシステム。
【請求項３３】  前記一時的状況の一つが、エレベーターに乗っていることによる一時的なオフライン状態であることを特徴とする、請求項３１に記載のシステム。
【請求項３４】  前記移動体通信装置において、入力装置からリストの内容についての情報を受信する手段と、
前記移動体通信装置から前記サービスノードへ、リストの内容についての前記情報を送信する手段と、
前記サービスノードにおいて、リストの内容についての情報を包含するように前記リストを生成する手段と
を含む前記リストを作成する手段をさらに備えることを特徴とする請求項２２に記載のシステム。
【請求項３５】  移動体通信装置において、入力装置からリストの内容についての変更された情報を受信する手段と、
前記移動体通信装置から前記サービスノードへ、リストの内容についての前記更新された情報を送信する手段と、
前記サービスノードにおいて、リストの内容についての前記変更された情報に従って前記リストを変更する手段と
を備える前記リストを変更する手段をさらに備えることを特徴とする請求項２２に記載のシステム。
【請求項３６】  リストの内容についての前記変更された情報が、前記リストに追加されるべき別のユーザーについての情報を含むことを特徴とする請求項３５に記載のシステム。
【請求項３７】  前記リストに追加されるべき別のユーザーについての変更された情報に従って、前記リストを変更する手段が、
前記サービスノードから、前記リストに追加されるべき別のユーザーが関連する移動体通信装置へメッセージを送信する手段であって、前記メッセージは前記第一のユーザーが前記別のユーザーをリストに追加したがっていることを通知するものであることを特徴とする手段と、
前記別のユーザーが関連する移動体通信装置から前記サービスノードへメッセージを返信する手段であって、返信メッセージは賛成を容認するか、拒否するもののいずれかであることを特徴とする手段と、
前記サービスノードにおいて、前記返信メッセージが賛成を容認する場合にのみ、前記リストに追加されるべき別のユーザーについての変更された情報に従ってリストを変更する手段と
を備えることを特徴とする請求項３６に記載のシステム。
【請求項３８】  リストの内容についての前記変更された情報が、前記リストから削除されるべき別のユーザーについての情報を含むことを特徴とする請求項３５に記載のシステム。
【請求項３９】  移動体通信システム内の他のユーザーに、移動体通信装置の第一のユーザーがオンラインになったことを通知するシステムであって、
前記移動体通信装置から移動体通信システム内のサービスノードへ信号を送信する手段であって、前記信号が前記移動体通信装置がオンラインになったことを示すものである手段と、
前記サービスノードにおいて、前記信号の受信に応じて、前記第一のユーザーがリストされている他のリストを決定する手段と、
前記他のリストのそれぞれについて、対応する他のユーザーを決定する手段と、
前記対応する他のユーザーのそれぞれに対し、前記第一のユーザーがオンラインになったことを示す通知を送信する手段と
を備えることを特徴とするシステム。
【請求項４０】  前記サービスノードがホームロケーションレジスタであることを特徴とする請求項３９に記載のシステム。
【請求項４１】  移動体通信システム内の他のユーザーに、移動体通信装置の第一のユーザーがオフラインになったことを通知するシステムであって、
前記移動体通信装置から移動体通信システム内のサービスノードへ信号を送信する手段であって、前記信号が前記移動体通信装置がオフラインになったことを示すものである手段と、
前記サービスノードにおいて、前記信号の受信に応じて、前記第一のユーザーがリストされている他のリストを決定する手段と、
前記他のリストのそれぞれについて、対応する他のユーザーを決定する手段と、
前記対応する他のユーザーのそれぞれに対し、前記第一のユーザーがオフラインになったことを示す通知を送信する手段と
を備えることを特徴とするシステム。
【請求項４２】  前記サービスノードがホームロケーションレジスタであることを特徴とする請求項４１に記載のシステム。